(57)【要約】ディジタルカメラ（１０）は、９つの撮影設定項目を有する。各々の撮影設定項目には、複数の動作モードが割り当てられる。撮影動作は、撮影設定項目毎に１つずつ選択された有効動作モードに従って行われる。モードキー（５０）が操作されると、９つの有効動作モードに対応する９つの有効モードキャラクタのうち、３個の有効モードキャラクタがモニタ（３０）に表示される。ジョグダイヤルキー（４８）が操作されると、有効モードキャラクタの表示が更新される。基準位置の撮影設定項目については無効動作モードが検出され、検出された無効動作モードを示す無効モードキャラクタがモニタ（３０）に追加表示される。任意の無効モードキャラクタにカーソルを合わせてセットキー（４４）を操作すると、その無効モードキャラクタに対応する動作モードが有効化される。
2003028365.tif 000002
【特許請求の範囲】
【請求項１】
Ｌ個の設定項目の各々に割り当てられた複数の動作モードのうち設定項目毎に１つずつ選択された有効動作モードに従って動作を行う電子機器のモード選択装置であって、次のものを備える：
Ｌ個の有効動作モードに個別に対応するＬ個の第１キャラクタのうちＭ（Ｍ＜Ｌ）個の第１キャラクタを表示する第１表示手段；
前記第１表示手段によって表示される第１キャラクタをキー操作に応答して更新する更新手段；
基準位置に表示された第１キャラクタに対応する設定項目に割り当てられた複数の動作モードのうち前記有効動作モード以外の動作モードを検出する検出手段；
前記検出手段によって検出された動作モードに対応する第２キャラクタを追加表示する第２表示手段；および
前記第２表示手段によって表示された任意の第２キャラクタの選択を受け付ける受付手段。
【請求項２】
クレーム１に従属するモード選択装置であって、前記更新手段は前記第１キャラクタを前記キー操作に応答してＮ（Ｎ＜Ｍ）個ずつ更新する。
【請求項３】
クレーム１または２に従属するモード選択装置であって、ジョグダイヤルキーをさらに備え、前記Ｌ個の第１キャラクタは循環的に連続し、前記更新手段は前記ジョグダイヤルキーの操作に応答して更新処理を行う。
【請求項４】
クレーム１ないし３のいずれかに従属するモード選択装置であって、前記基準位置に表示された第１キャラクタに対応する設定項目名を表示する第３表示手段をさらに備える。
【請求項５】
クレーム１ないし４のいずれかに従属するモード選択装置であって、任意の画像を表示する第３表示手段をさらに備え、前記第１表示手段は前記第１キャラクタを前記任意の画像に多重し、前記第２表示手段は前記第２キャラクタを前記任意の画像に多重する。
【請求項６】
Ｌ個の撮影設定項目の各々に割り当てられた複数の動作モードのうち撮影設定項目毎に１つずつ選択された有効動作モードに従って撮影動作を行うディジタルカメラであって、次のものを備える：
Ｌ個の有効動作モードに個別に対応するＬ個の第１キャラクタのうちＭ（Ｍ＜Ｌ）個の第１キャラクタを表示する第１表示手段；
前記第１表示手段によって表示される第１キャラクタをキー操作に応答して更新する更新手段；
基準位置に表示された第１キャラクタに対応する撮影設定項目に割り当てられた複数の動作モードのうち前記有効動作モード以外の動作モードを検出する検出手段；
前記検出手段によって検出された動作モードに対応する第２キャラクタを追加表示する第２表示手段；および
前記第２表示手段によって表示された任意の第２キャラクタの選択を受け付ける受付手段。
【請求項７】
Ｌ個の設定項目の各々に割り当てられた複数の動作モードのうち設定項目毎に１つずつ選択された有効動作モードに従って動作を行う電子機器のモード選択方法であって、次のステップを含む：
（ａ）Ｌ個の有効動作モードに個別に対応するＬ個の第１キャラクタのうちＭ（Ｍ＜Ｌ）個の第１キャラクタを表示し；
（ｂ）前記ステップ（ａ）によって表示される第１キャラクタをキー操作に応答して更新し；
（ｃ）基準位置に表示された第１キャラクタに対応する設定項目に割り当てられた複数の動作モードのうち前記有効動作モード以外の動作モードを検出し；
（ｄ）前記ステップ（ｃ）によって検出された動作モードに対応する第２キャラクタを追加表示し；そして
（ｅ）前記ステップ（ｄ）によって表示された任意の第２キャラクタの選択を受け付ける。
【請求項８】
Ｌ個の撮影設定項目の各々に割り当てられた複数の動作モードのうち撮影設定項目毎に１つずつ選択された有効動作モードに従って撮影動作を行うディジタルカメラにおける制御方法であって、次のステップを含む：
（ａ）Ｌ個の有効動作モードに個別に対応するＬ個の第１キャラクタのうちＭ（Ｍ＜Ｌ）個の第１キャラクタを表示し；
（ｂ）前記ステップ（ａ）によって表示される第１キャラクタをキー操作に応答して更新し；
（ｃ）基準位置に表示された第１キャラクタに対応する撮影設定項目に割り当てられた複数の動作モードのうち前記有効動作モード以外の動作モードを検出し；
（ｄ）前記ステップ（ｃ）によって検出された動作モードに対応する第２キャラクタを追加表示し；そして
（ｅ）前記ステップ（ｄ）によって表示された任意の第２キャラクタの選択を受け付ける。
【発明の詳細な説明】
技術分野
この発明は、モード選択装置に関し、特にたとえばディジタルカメラに適用され、Ｌ個の設定項目の各々に割り当てられた複数の動作モードのうち設定項目毎に１つずつ選択された有効動作モードに従って動作を行う電子機器のモード選択装置に関する。
従来技術
従来のディジタルカメラでは、モードキーが押されると複数の撮影設定項目がモニタに表示され、十字キーおよびセットキーの操作に応答して撮影設定が変更されていた。しかし、モニタのサイズには限界があるため、表示できる撮影設定項目の数が制限されるという問題があった。ここで、撮影設定項目を階層構造とすれば、項目数の増加に対応できるが、そうすると操作が煩雑になってしまう。
発明の概要
それゆえに、この発明の主たる目的は、新規なモード選択装置を提供することである。
この発明の他の目的は、設定項目数を増やすことができ、かつ操作の煩雑さを解消できる、モード選択装置を提供することである。
この発明のその他の目的は、新規なディジタルカメラを提供することである。この発明のさらにその他の目的は、設定項目数を増やすことができ、かつ操作の煩雑さを解消できる、ディジタルカメラを提供することである。
この発明によれば、Ｌ個の設定項目の各々に割り当てられた複数の動作モードのうち設定項目毎に１つずつ選択された有効動作モードに従って動作を行う電子機器のモード選択装置は、次のものを備える：Ｌ個の有効動作モードに個別に対応するＬ個の第１キャラクタのうちＭ（Ｍ＜Ｌ）個の第１キャラクタを表示する第１表示手段；第１表示手段によって表示される第１キャラクタをキー操作に応答して更新する更新手段；基準位置に表示された第１キャラクタに対応する設定項目に割り当てられた複数の動作モードのうち有効動作モード以外の動作モードを検出する検出手段；検出手段によって検出された動作モードに対応する第２キャラクタを追加表示する第２表示手段；および第２表示手段によって表示された任意の第２キャラクタの選択を受け付ける受付手段。
Ｌ個の設定項目の各々には、複数の動作モードが割り当てられる。動作は、設定項目毎に１つずつ選択された有効動作モードに従って行われる。第１表示手段は、Ｌ個の有効動作モードに個別に対応するＬ個の第１キャラクタのうちＭ（Ｍ＜Ｌ）個の第１キャラクタを表示する。キー操作が行われると、第１キャラクタの表示が更新手段によって更新される。検出手段は、基準位置に表示された第１キャラクタに対応する設定項目に割り当てられた複数の動作モードのうち、有効動作モード以外の動作モードを検出する。検出された動作モードに対応する第２キャラクタは、第２表示手段によって追加表示される。表示された任意の第２キャラクタの選択は、受付手段によって受け付けられる。
つまり、一部の第１キャラクタが表示され、さらに基準位置に存在する第１キャラクタに関連する第２キャラクタが追加表示される。表示される第１キャラクタはキー操作に応答して更新されるため、第２キャラクタもまたキー操作に応答して更新される。このため、設定項目数を増やすことができるとともに、操作の煩雑さを解消できる。
好ましくは、更新手段は、第１キャラクタをキー操作に応答してＮ（Ｎ＜Ｍ）個ずつ更新する。これによって、Ｌ個の第１キャラクタの位置関係を容易に把握できる。
好ましくは、Ｌ個の第１キャラクタは循環的に連続し、更新手段はジョグダイヤルキーの操作に応答して更新処理を行う。これによって、１方向へのダイヤル操作によって所望の設定項目の第２キャラクタを表示させることができる。
基準位置に表示された第１キャラクタに対応する設定項目名を第３表示手段によって表示するようにしてもよい。こうすることで、基準位置に表示された第１キャラクタが抽象的であったとしても、選択された設定項目の内容を容易に認識することができる。
好ましくは、任意の画像が画像表示手段によって表示される。このとき、第１キャラクタおよび第２キャラクタはそれぞれ、第１表示手段および第２表示手段によって任意の画像に多重表示される。第１表示手段は一部の第１キャラクタ（Ｌ個のうちのＭ個）しか表示せず、第２表示手段は基準位置に表示された第１キャラクタに関連する第２キャラクタしか表示しないため、画像の表示を大きく妨げることはない。
この発明の１つの局面は、Ｌ個の設定項目の各々に割り当てられた複数の動作モードのうち設定項目毎に１つずつ選択された有効動作モードに従って動作を行う電子機器のモード選択方法であって、次のステップを含む：（ａ）Ｌ個の有効動作モードに個別に対応するＬ個の第１キャラクタのうちＭ（Ｍ＜Ｌ）個の第１キャラクタを表示し；（ｂ）ステップ（ａ）によって表示される第１キャラクタをキー操作に応答して更新し；（ｃ）基準位置に表示された第１キャラクタに対応する設定項目に割り当てられた複数の動作モードのうち有効動作モード以外の動作モードを検出し；（ｄ）ステップ（ｃ）によって検出された動作モードに対応する第２キャラクタを追加表示し；そして（ｅ）ステップ（ｄ）によって表示された任意の第２キャラクタの選択を受け付ける。
また、この発明の他の局面は、Ｌ個の撮影設定項目の各々に割り当てられた複数の動作モードのうち撮影設定項目毎に１つずつ選択された有効動作モードに従って撮影動作を行うディジタルカメラにおける制御方法であって、次のステップを含む：（ａ）Ｌ個の有効動作モードに個別に対応するＬ個の第１キャラクタのうちＭ（Ｍ＜Ｌ）個の第１キャラクタを表示し；（ｂ）ステップ（ａ）によって表示される第１キャラクタをキー操作に応答して更新し；（ｃ）基準位置に表示された第１キャラクタに対応する撮影設定項目に割り当てられた複数の動作モードのうち有効動作モード以外の動作モードを検出し；（ｄ）ステップ（ｃ）によって検出された動作モードに対応する第２キャラクタを追加表示し；そして（ｅ）ステップ（ｄ）によって表示された任意の第２キャラクタの選択を受け付ける。
この発明によれば、Ｌ個の撮影設定項目の各々に割り当てられた複数の動作モードのうち撮影設定項目毎に１つずつ選択された有効動作モードに従って撮影動作を行うディジタルカメラは、次のものを備える：Ｌ個の有効動作モードに個別に対応するＬ個の第１キャラクタのうちＭ（Ｍ＜Ｌ）個の第１キャラクタを表示する第１表示手段；第１表示手段によって表示される第１キャラクタをキー操作に応答して更新する更新手段；基準位置に表示された第１キャラクタに対応する撮影設定項目に割り当てられた複数の動作モードのうち有効動作モード以外の動作モードを検出する検出手段；検出手段によって検出された動作モードに対応する第２キャラクタを追加表示する第２表示手段；および第２表示手段によって表示された任意の第２キャラクタの選択を受け付ける受付手段。
Ｌ個の撮影設定項目の各々には、複数の動作モードが割り当てられる。撮影動作は、撮影設定項目毎に１つずつ選択された有効動作モードに従って行われる。
第１表示手段は、Ｌ個の有効動作モードに個別に対応するＬ個の第１キャラクタのうちＭ（Ｍ＜Ｌ）個の第１キャラクタを表示する。キー操作が行われると、第１キャラクタの表示が更新手段によって更新される。検出手段は、基準位置に表示された第１キャラクタに対応する撮影設定項目に割り当てられた複数の動作モードのうち、有効動作モード以外の動作モードを検出する。検出された動作モードに対応する第２キャラクタは、第２表示手段によって追加表示される。表示された任意の第２キャラクタの選択は、受付手段によって受け付けられる。
つまり、一部の第１キャラクタが表示され、さらに基準位置に存在する第１キャラクタに関連する第２キャラクタが追加表示される。表示される第１キャラクタはキー操作に応答して更新されるため、第２キャラクタもまたキー操作に応答して更新される。このため、撮影設定項目数を増やすことができるとともに、操作の煩雑さを解消できる。
この発明の上述の目的，その他の目的，特徴および利点は、図面を参照して行う以下の実施例の詳細な説明から一層明らかとなろう。
発明を実施するための最良の形態
図１を参照して、この実施例のディジタルカメラ１０は、フォーカスレンズ１２を含む。被写体の光学像は、このフォーカスレンズ１２および絞りユニット１３を経てイメージセンサ１４の受光面に入射される。受光面では、入射された光学像に対応するカメラ信号つまり生画像信号、が光電変換によって生成される。なお、受光面は、原色ベイヤ配列の色フィルタ（図示せず）によって覆われ、カメラ信号を形成する各々の画素信号は、Ｒ，ＧまたはＢの色情報のみを持つ。
電源が投入されると、ＣＰＵ４０によってスルー画像処理が行われる。まず、タイミングジェネレータ（ＴＧ）１６に処理命令が与えられ、ＴＧ１６によってイメージセンサ１４が駆動される。イメージセンサ１４は、光電変換によって生成されるカメラ信号に所定フレームレートで間引き読み出しを施す。イメージセンサ１４から出力された各フレームのカメラ信号は、ＣＤＳ／ＡＧＣ回路１８によって周知のノイズ除去およびレベル調整を施され、その後Ａ／Ｄ変換器２０でディジタル信号に変換される。
信号処理回路２２は、ＣＰＵ４０からの処理命令に応答して、Ａ／Ｄ変換器２０から出力された各フレームのカメラデータに色分離，白バランス調整，ＹＵＶ変換などの信号処理を施し、輝度成分（Ｙデータ）および色差成分（Ｕデータ，Ｖデータ）からなる画像データを生成する。生成された画像データはメモリ制御回路２４に与えられ、メモリ制御回路２４によってＳＤＲＡＭ２６に書き込まれる。
ビデオエンコーダ２８は、ＣＰＵ４０からの処理命令に応答して、ＳＤＲＡＭ２６の画像データをメモリ制御回路２４に読み出させる。ビデオエンコーダ２８はさらに、読み出された各フレームの画像データをＮＴＳＣフォーマットのコンポジット画像信号にエンコードし、エンコードされたコンポジット画像信号をスイッチＳＷ１を通してモニタ３０に供給する。モニタ３０には、被写体のリアルタイム動画像つまりスルー画像が表示される。
なお、スイッチＳＷ１は、キャラクタジェネレータ３４からキャラクタ信号が出力されるとき、キャラクタジェネレータ３４と接続される。キャラクタ信号はスイッチＳＷ１を介してモニタ３０に与えられ、これによって所望のキャラクタが画面にＯＳＤ表示される。
オペレータによってシャッタボタン４２が半押しされると、ＣＰＵ４０は、オペレータの設定に従って前調整処理を行う。撮影動作についてオペレータが設定できる項目つまり撮影設定項目としては、感度（ＩＳＯ１００／ＩＳＯ２００／ＩＳＯ４００），測光方式（スポット測光／中央重点測光／マルチ測光），露出制御方式（絞り優先／シャッタスピード優先／プログラムＡＥ／マニュアル），白バランス調整方式（蛍光灯／太陽光／白熱灯／曇天），フォーカス調整方式（スポットフォーカス／マルチフォーカス），解像度（３２６４／２８８０／２２８８／１６００／６４０），セルフタイマ（オン／オフ），ノイズ軽減（オン／オフ），圧縮率（Ｓ−ＦＩＮＥ／ＦＩＮＥ／ＮＯＲＭ）の９つがある。なお、所望の動作モードを選択するときの操作方法については、後段で詳しく説明する。
前調整処理では、感度の設定に応じてＣＤＳ／ＡＧＣ回路１８のゲインが調整され、測光方式および露出制御方式の設定に従って露出が調整され、白バランス調整方式の設定に従って信号処理回路２２の白バランス調整係数が決定され、そしてフォーカス調整方式の設定に従ってフォーカスが調整される。たとえば、感度として“ＩＳＯ４００”が選択されていれば、ＩＳＯ４００に対応するゲインがＣＤＳ／ＡＧＣ回路１８に設定される。また、測光方式および露出制御方式として“中央重点測光”および“絞り優先”がそれぞれ選択されていれば、画面中央部に重み付けが施されたＹデータに基づいて明るさが測定され、その測定結果に基づいて最適シャッタスピードが算出される。さらに、白バランス調整方式として“白熱灯”が選択されていれば、白熱灯の光源を考慮して最適白バランス調整係数が算出される。さらにまた、フォーカス調整方式として“スポットフォーカス”が選択されていれば、画面中央部のＹデータの高周波成分に基づいてフォーカスレンズ１２の位置が調整される。
こうして前調整が完了した後にシャッタボタン４２が全押しされると、撮影／記録処理がＣＰＵ４０によって行われる。まず、解像度の設定に応じた画素読み出しがＴＧ１６に命令される。解像度として“３２６４”が選択されていれば、全画素読み出しがＴＧ１６に命令され、“３２６４”以外が選択されていれば、その選択に応じた間引き読み出しがＴＧ１６に命令される。ＴＧ１６は、ＣＰＵ４０からの命令に応じた態様でイメージセンサ１４からカメラ信号を読み出す。読み出されたカメラ信号は上述と同じ処理によって輝度成分および色差成分からなる画像データに変換され、変換された画像データがＳＤＲＡＭ２６に格納される。
なお、セルフタイマの設定が“オン”であれば、ＴＧ１６への命令はシャッタボタン４２の全押しから所定期間経過後に行われる。また、ノイズ軽減の設定が“オン”であれば、メカニカルシャッタ（図示せず）が閉じられた後にカメラ信号が再度読み出され、読み出されたカメラ信号に基づく画像データつまり黒画像データがＳＤＲＡＭ２６に格納される。黒画像データは、先にＳＤＲＡＭ２６に格納された画像データつまり被写体像データとの間で減算処理を施され、これによってイメージセンサ１４に固有のノイズが除去される。
シャッタボタン４２の全押しに基づく画像データがＳＤＲＡＭ２６に格納されると、ＣＰＵ４０は、ＴＧ１６を不能化し、圧縮率の設定に対応するＱファクタを圧縮命令とともにＪＰＥＧコーデック３２に与える。Ｑファクタは、“ＮＯＲＭ”が選択されたとき最も大きく、“Ｓ−ＦＩＮＥ”が選択されたとき最も小さい。ＪＰＥＧコーデック３２は、ＳＤＲＡＭ２６に格納された画像データをメモリ制御回路２４に読み出させ、読み出された画像データにＪＰＥＧフォーマットに準じた圧縮処理を施す。Ｑファクタに応じたサイズの圧縮画像データが得られると、ＪＰＥＧコーデック３２は、この圧縮画像データをメモリ制御回路２４に与える。圧縮画像データは、メモリ制御回路２４によってＳＤＲＡＭ２６に格納される。
ＣＰＵ４０はその後、メモリ制御回路２４を通してＳＤＲＡＭ２６から圧縮画像データを読み出し、読み出された圧縮画像データをＩ／Ｆ回路３６を通してメモリカード３８に記録する。これによって、メモリカード３８内に画像ファイルが作成される。
なお、メモリカード３８は、着脱自在な不揮発性の記録媒体であり、スロット（図示せず）に装着されたときにＣＰＵ４０によってアクセス可能となる。また、撮影／記録処理のうち、露光から圧縮画像データの生成までが撮影処理であり、圧縮画像データをメモリカード３８に記録する処理が記録処理である。
図２−図４に示すフロー図に対応する制御プログラムはＲＯＭ５４に記録されており、この制御プログラムはＣＰＵ４０によって実行される。
図２に示すステップＳ１では上述のスルー画像処理が行われ、これによってスルー画像がモニタ３０に表示される。ステップＳ３ではシャッタボタン４２の半押しの有無が判別され、ステップＳ１３ではモードキー５０の操作の有無が判別される。モードキー５０が操作されたときはステップＳ１５でモード選択処理が行われ、その後、処理はステップＳ３に戻る。
シャッタボタン４２が半押しされたときは、ステップＳ３でＹＥＳと判断され、ステップＳ５で上述の前調整処理が行われる。これによって、所望の感度に応じたゲインがＣＤＳ／ＡＧＣ回路１８に設定され、露出，白バランスおよびフォーカスが最適値に設定される。
ステップＳ７ではシャッタボタン４２が全押しされたかどうかが判別され、ステップＳ９ではシャッタボタン４２の押圧状態が解除されたかどうかが判別される。ステップＳ９でＹＥＳと判断されると処理はステップＳ３に戻るが、ステップＳ７でＹＥＳと判断されるとステップＳ１１で上述の撮影／記録処理が行われる。これによって、シャッタボタン４２が全押しされた時点の画像データが、ファイル形式でメモリカード３８に記録される。
ステップＳ１５のモード選択処理は、図３に示すサブルーチンに従って実行される。まずステップＳ２１でフラッシュメモリ５２から現時点の有効動作モードの一部が抽出される。フラッシュメモリ５２には、図５に示す要領でテーブル５２ａが形成されている。図５によれば、テーブル５２ａは９つの撮影設定項目に区分され、撮影設定項目毎に１つの動作モードが登録される。感度としては“ＩＳＯ２００”が登録され、測光方式としては“マルチ測光”が登録され、露出制御方式としては“プログラムＡＥ”が登録されている。また、白バランス調整方式として“オート”が登録され、フォーカス調整方式として“スポットフォーカス”が登録され、解像度として“２８８０”が登録されている。さらに、セルフタイマとして“オフ”が登録され、ノイズ軽減として“オン”が登録され、圧縮率として“ＦＩＮＥ”が登録されている。テーブル５２ａに登録された動作モードが現時点における有効動作モードであり、このうち３つの有効動作モードがステップＳ２１の処理によってテーブル５２ａから抽出される。
ステップＳ２３では、キャラクタジェネレータ３４およびスイッチＳＷ１が制御され、これによってテーブル５２ａから抽出した有効動作モードに対応するキャラクタつまり有効モードキャラクタがモニタ３０にＯＳＤ態様で表示される。ステップＳ２５では、基準位置に表示されたキャラクタに対応する撮影設定項目が特定される。ステップＳ２７では特定された撮影設定項目に関する無効動作モードつまり有効動作モード以外の動作モードが検出され、ステップＳ２９では検出された無効動作モードに対応するキャラクタつまり無効モードキャラクタがモニタ３０にＯＳＤ態様で表示される。
ステップＳ３１では特定された撮影設定項目の名称がモニタ３０にＯＳＤ態様で表示され、ステップＳ３３では基準位置に存在する有効動作モードのキャラクタを指向するカーソルがモニタ３０にＯＳＤ態様で表示される。ステップＳ２９−Ｓ３３においても、キャラクタジェネレータ３４およびＳＷ１の制御によってキャラクタ表示が行われる。
たとえば図６に示す要領でスルー画像が表示されているときにモードキー５０が操作されると、画面表示は図６から図７に更新される。図７によれば、“フォーカス調整方式”について有効な動作モードのキャラクタＣＦ１，“解像度”について有効な動作モードのキャラクタＣＲ１，および“セルフタイマ”について有効な動作モードのキャラクタＣＴ１が表示される。図７におけるキャラクタＣＲ１の表示位置が基準位置であり、“解像度”が基準位置の撮影設定項目として特定される。このため、“解像度”に関する無効動作モードのキャラクタＣＲ２，ＣＲ２，…が、キャラクタＣＲ１の右側に追加表示される。さらに、基準位置の撮影設定項目の名称である“解像度”が、画面の左上に表示される。カーソルＣＳＲは、基準位置に表示されたキャラクタＣＲ１を指向するように表示される。
なお、テーブル５２ａに登録された各々の有効動作モードのキャラクタは、図１１に示す位置関係を有する。“セルフタイマ”に関する有効動作モードのキャラクタＣＴ１から時計回り方向に眺めると、“ノイズ軽減”に関する有効動作モードのキャラクタＣＮ１，“圧縮率”に関する有効動作モードのキャラクタＣＣ１，“感度”に関する有効動作モードのキャラクタＣＧ１，“測光方式”に関する有効動作モードのキャラクタＣＬ１，“露出制御方式”に関する有効動作モードのキャラクタＣＥ１，“白バランス”に関する有効動作モードのキャラクタＣＷ１，“フォーカス調整方式”に関する有効動作モードのキャラクタＣＦ１，および“解像度”に関する有効動作モードのキャラクタＣＲ１が、この順で循環的に連続する。
ステップＳ３５ではジョグダイヤルキー４８の操作の有無が判別され、ＹＥＳであればステップＳ３７で全てのＯＳＤ表示が中止される。続くステップＳ３９では、テーブル５２ａから抽出すべき有効動作モードが更新される。抽出される有効動作モードは３つであり、更新はキー操作毎に１モードずつ行われる。ジョグダイヤルキー４８が時計回り方向に１ステップ回転されると、テーブル５２ａのアクセス先が１モード下にシフトし、ジョグダイヤルキー４８が反時計回り方向に１ステップ回転されると、テーブル５２ａのアクセス先が１モード上にシフトする。ステップＳ３９の更新処理が完了すると、上述のステップＳ２３−Ｓ３３の処理が繰り返される。
図７に示す表示状態でジョグダイヤルキー４８が反時計回り方向に１ステップ回転されると、画面表示は図７から図８に更新される。また、図７に示す表示状態でジョグダイヤルキー４８が時計回り方向に１ステップ回転されると、画面表示は図７から図９に更新される。
図８によれば、“解像度”に関するキャラクタＣＲ１，“セルフタイマ”に関するキャラクタＣＴ１および“ノイズ軽減”に関するキャラクタＣＮ１が表示される。図８ではキャラクタＣＴ１の表示位置が基準位置であり、“セルフタイマ”が基準位置の撮影設定項目として特定される。このため、“セルフタイマ”に関する無効動作モードのキャラクタＣＴ２が、キャラクタＣＴ１の右側に追加表示される。画面左上には基準位置の撮影設定項目の名称である“セルフタイマ”が表示され、カーソルＣＳＲは“セルフタイマ”に関するキャラクタＣＴ１を指向する。
図９によれば、“白バランス”に関するキャラクタＣＷ１，“フォーカス調整方式”に関するキャラクタＣＦ１および“解像度”に関するキャラクタＣＲ１が表示される。図９ではキャラクタＣＦ１の表示位置が基準位置であり、“フォーカス”が基準位置の撮影設定項目として特定される。このため、“フォーカス”に関する無効動作モードのキャラクタＣＦ２が、キャラクタＣＦ１の右側に追加表示される。さらに、基準位置の撮影設定項目名である“フォーカス”が画面の左上に表示され、カーソルＣＳＲは“フォーカス”に関するキャラクタＣＦ１を指向する。
なお、テーブル５２ａの各々の登録欄もまた、垂直方向において循環的に連続する。このため、“セルフタイマ”，“ノイズ軽減”および“圧縮率”のキャラクタＣＴ１，ＣＮ１およびＣＣ１が表示されている状態でジョグダイヤルキー４８が時計回り方向に回転されると、次のアクセス先は“ノイズ軽減”，“圧縮率”および“感度”となる。逆に、“感度”，“測光方式”および“露出制御方式”のキャラクタＣＧ１，ＣＬ１およびＣＥ１が表示されている状態でジョグダイヤルキー４８が反時計回り方向に回転されると、次のアクセス先は“圧縮率”，“感度”および“測光方式”となる。
ジョグダイヤルキー４８が操作されないときは、ステップＳ４１で十字キー４６の操作の有無が判別され、ステップＳ４５でセットキー４４の操作の有無が判別され、そしてステップＳ５１でモードキー５０の操作の有無が判別される。十字キー４６が左右方向に操作されたときはステップＳ４１でＹＥＳと判断され、ステップＳ４３でカーソルＣＳＲが左右方向に移動される。たとえば、図７に示す表示状態で十字キー４６が右方向に操作されると、画面表示は図７から図１０に更新される。
セットキー４４が操作されたときは、ステップＳ４５でＹＥＳと判断される。すると、ステップＳ４７でテーブル５２ａの登録が更新されるとともに、ステップＳ４９で基準位置におけるキャラクタの表示が更新される。たとえば、図１０に示す表示状態でセットキー４４が操作されると、テーブル５２ａにおける解像度の登録が“２８８０”から“３２６４”に更新される。こうして有効動作モードが変更されたため、キャラクタＣＲ１およびＣＲ２の表示も更新される。つまり、図１０に示す“３２６４”のキャラクタがキャラクタＣＲ１として基準位置に表示され、“２８８０”のキャラクタがキャラクタＣＲ２として基準位置の右側に表示される。なお、モードキー５０が操作されたときは、ステップＳ５１でＹＥＳと判断され、処理は上階層のルーチンに復帰する。
以上の説明から分かるように、９つの撮影設定項目の各々には、複数の動作モードが割り当てられる。撮影動作は、撮影設定項目毎に１つずつ選択された有効動作モードに従って行われる。モードキー５０が操作されると、９つの有効動作モードに個別に対応する９つの有効モードキャラクタのうち、３個の有効モードキャラクタがモニタ３０に表示される。ジョグダイヤルキー４８が操作されると、有効モードキャラクタの表示が更新される。基準位置の撮影設定項目については無効動作モードが検出され、当該無効動作モードを示す無効モードキャラクタがモニタ３０に追加表示される。任意の無効モードキャラクタにカーソルが合わせられた状態でセットキー４４が操作されると、当該無効モードキャラクタに対応する動作モードが有効化される。
このように、一部の有効モードキャラクタがモニタ３０に表示され、さらに基準位置に存在する有効モードキャラクタに関連する無効モードキャラクタがモニタ３０に追加表示される。表示される有効モードキャラクタはジョグダイヤルキー４８の操作に応答して更新されるため、無効モードキャラクタもまたキー操作に応答して更新される。このため、撮影設定項目数を増やすことができるとともに、キャラクタ選択のための操作の煩雑さを解消できる。
なお、この実施例では、ディジタルカメラを用いて説明したが、この発明のモード選択装置は、ディジタルカメラ以外の電子機器にも適用できる。たとえば携帯電話機にこの発明を適用する場合は、たとえば音に関する“着信音量”，“着信音パターン”，“キー操作音”，“効果音”などが設定項目である。このとき、“着信音量”の動作モードとしては“音量１”，“音量２”および“音量３”が割り当てられ、“着信音パターン”の動さモードとしては“パターン１”，“パターン２”および“音量３”が割り当てられる。また、“キー操作音”としては“オン”および“オフ”が割り当てられ、“効果音”としては“オン”および“オフ”が割り当てられる。
この発明が詳細に説明され図示されたが、それは単なる図解および一例として用いたものであり、限定であると解されるべきではないことは明らかであり、この発明の精神および範囲は添付されたクレームの文言によってのみ限定される。
【図面の簡単な説明】
図１はこの発明の一実施例を示すブロック図であり；
図２は図１実施例の動作の一部を示すフロー図であり；
図３は図１実施例の動作の他の一部を示すフロー図であり；
図４は図１実施例の動作のその他の一部を示すフロー図であり；
図５は撮影設定項目の有効動作モードが登録されたテーブルを示す図解図であり；
図６はモニタに表示されるスルー画像の一例を示す図解図であり；
図７はスルー画像にＯＳＤ表示されるメニュー画像の一例を示す図解図であり；
図８はスルー画像にＯＳＤ表示されるメニュー画像の他の一例を示す図解図であり；
図９はスルー画像にＯＳＤ表示されるメニュー画像のその他の一例を示す図解図であり；
図１０はスルー画像にＯＳＤ表示されるメニュー画像のさらにその他の一例を示す図解図であり；そして
図１１はメニュー画像を形成する複数のキャラクタの位置関係の一例を示す図解図である。
【図１】
2003028365.tif 000003
【図２】
2003028365.tif 000004
【図３】
2003028365.tif 000005
【図４】
2003028365.tif 000006
【図５】
2003028365.tif 000007
【図６】
2003028365.tif 000008
【図７】
2003028365.tif 000009
【図８】
2003028365.tif 000010
【図９】
2003028365.tif 000011
【図１０】
2003028365.tif 000012
【図１１】
2003028365.tif 000013
【国際調査報告】
2003028365.tif 000014
2003028365.tif 000015